(57)【要約】      （修正有）【課題】全体を薄くし、腕や物等が当たって落下したりプレート面が前傾して見にくくなる不具合を回避するとともに、面白さ，興味性及び多様性を高め、特に、緊急時等において、周囲に対してより効果的に注意を惹起させるネームプレートを提供する。【解決手段】少なくとも一部に光透過部を有するネームプレート本体部２と、前記光透過部に光を照射する発光部３とを備えてなるネームプレート１を構成するに際して、所定の厚さを有する一枚の透明又は半透明のプレート材Ｍにより形成した所定の形状を有する。かつ周面部２ｓに発光素子４が収容される凹部を形成してなるネームプレート本体部２と、このネームプレート本体部２の前後のプレート面２ｆ，２ｒ以外の周面部２ｓからプレート面２ｆ…に対して平行方向に光を照射可能であって、かつ凹部に収容される発光素子４を用いた発光部３とを具備する。【選択図】図１
0003164415.tif 000002
【実用新案登録請求の範囲】
【請求項１】
少なくとも一部に光透過部を有するネームプレート本体部と、前記光透過部に光を照射する発光部とを備えてなるネームプレートにおいて、所定の厚さを有する一枚の透明又は半透明のプレート材により形成した所定の形状を有し、かつ周面部に発光素子が収容される凹部を形成してなるネームプレート本体部と、このネームプレート本体部の前後のプレート面以外の周面部から前記プレート面に対して平行方向に光を照射可能であって、かつ前記凹部に収容される発光素子を用いた発光部とを具備してなることを特徴とするネームプレート。
【請求項２】
前記プレート材には、アクリル板を用いることを特徴とする請求項１記載のネームプレート。
【請求項３】
前記発光素子には、発光ダイオードを用いることを特徴とする請求項１記載のネームプレート。
【請求項４】
前記ネームプレート本体部と前記発光部は、着脱部を介して着脱可能に構成することを特徴とする請求項１記載のネームプレート。
【請求項５】
前記発光部は、電源をＯＮ又はＯＦＦにするとともに、前記発光素子を連続して発光させる連続点灯モード又は前記発光素子を所定の周期により点滅させる点滅モードを選択できる点灯制御部を備えることを特徴とする請求項１記載のネームプレート。
【考案の詳細な説明】
【技術分野】
【０００１】
本考案は、少なくとも一部に光透過部を有するネームプレート本体部と光透過部に光を照射する発光部とを備えるネームプレートに関する。
【背景技術】
【０００２】
従来、単純な表示部を有するだけでなく、発光部から照射される光により表示部が目立つようにしたネームプレート（携行用ネームプレート）も、例えば、実開平３−８３７５号公報により知られている。
【０００３】
同公報に開示される携行用ネームプレートは、光透過部と光遮断部とを有し、これら光透過部又は光遮断部の形状によって表示内容を表すようにした表示プレートと、この表示プレートの一方の面側に配置されて該表示プレートの光透過部を通じて該表示プレートの他方の面側に光を射出させる発光手段と、この発光手段を点滅制御する点滅制御手段とを備え、表示プレートの光透過部から射出される点滅光によって表示が目立つようしたものである。
【先行技術文献】
【特許文献】
【０００４】
【特許文献１】実開平３−８３７５号公報
【考案の概要】
【考案が解決しようとする課題】
【０００５】
しかし、上述した従来のネームプレート（携行用ネームプレート）は、次のような問題点があった。
【０００６】
第一に、この種のネームプレートは、衣服の胸部等に付けて使用するため、できるだけ薄いことが望ましいが、従来の携行用ネームプレートは、表示内容を表す表示プレートとこの表示プレートを照射する発光手段を前後に重ねて構成するため、ネームプレート全体が厚くなる。したがって、腕や物等が当たり落下しやすいとともに、重量バランスによりネームプレートが前傾しやすいなどの不具合を生じる。
【０００７】
第二に、従来の携行用ネームプレートは、表示内容を表した表示プレートの裏面から光を照射する一般的な発光式のパネルと同様の原理により構成するため、表示部分を単純に明るくするという機能に留まる。したがって、全体に、面白さ，興味性及び多様性に欠け、特に、周囲に対して注意を惹起させる観点からは不十分である。
【０００８】
本考案は、このような背景技術に存在する課題を解決したネームプレートの提供を目的とするものである。
【課題を解決するための手段】
【０００９】
本考案は、上述した課題を解決するため、少なくとも一部に光透過部を有するネームプレート本体部と、前記光透過部に光を照射する発光部とを備えてなるネームプレート１を構成するに際して、所定の厚さＬｄを有する一枚の透明又は半透明のプレート材Ｍにより形成した所定の形状を有し、かつ周面部２ｓに発光素子４が収容される凹部１２を形成してなるネームプレート本体部２と、このネームプレート本体部２の前後のプレート面２ｆ，２ｒ以外の周面部２ｓからプレート面２ｆ…に対して平行方向に光を照射可能であって、かつ凹部１２に収容される発光素子４を用いた発光部３とを具備してなることを特徴とする。
【００１０】
この場合、考案の好適な態様により、プレート材Ｍには、アクリル板Ｍａを用いることができるとともに、発光素子４には、発光ダイオード４ｄを用いることができる。一方、ネームプレート本体部２と発光部３は、着脱部１１を介して着脱可能に構成することができる。また、発光部３は、電源をＯＮ又はＯＦＦにするとともに、発光素子４を連続して発光させる連続点灯モード又は発光素子を所定の周期（ｔｉ＋ｔｎ）により点滅させる点滅モードを選択できる点灯制御部１３を備えて構成できる。
【考案の効果】
【００１１】
このような構成を有する本考案に係るネームプレート１によれば、次のような顕著な効果を奏する。
【００１２】
（１）  ネームプレート本体部２の前後のプレート面２ｆ，２ｒ以外の周面部２ｓからプレート面２ｆ…に対して平行方向に光を照射可能な発光素子４を用いた発光部３を備えるため、ネームプレート１の全体を薄くすることができ、腕や物等が当たって落下したり、プレート面２ｆが前傾して見にくくなるなどの不具合を回避できる。
【００１３】
（２）  所定の厚さＬｄを有する一枚の透明又は半透明のプレート材Ｍにより形成した所定の形状を有するネームプレート本体部２の周面部２ｓからプレート面２ｆ…に対して平行方向に光を照射するため、表示部分を単純に明るくする機能に留まらず、例えば、表示が浮上がるような立体感を醸出したり直接光に加えて間接光を利用できるなど、面白さ，興味性及び多様性を高めることができ、特に、緊急時等において、周囲に対してより効果的に注意を惹起できる。
【００１４】
（３）  ネームプレート本体部２の周面部２ｓに、発光素子４を収容する凹部１２を形成したため、ネームプレート本体部２に対して光の無用な漏れを防止し、ネームプレート本体部２の内部へ効率的に光を照射することができる。
【００１５】
（４）  好適な態様により、プレート材Ｍにアクリル板Ｍａを用いれば、加工性，軽量性，低コスト性に優れ、しかも割れないため、ネームプレート本体部２を形成するプレート材Ｍとして最適である。
【００１６】
（５）  好適な態様により、発光素子４に、発光ダイオード４ｄを用いれば、十分な輝度を有し、しかも低消費電力であるため、小型軽量のボタン電池であっても長期間の使用が可能になるなど、発光部３を構成する発光素子４として最適である。
【００１７】
（６）  好適な態様により、ネームプレート本体部２と発光部３を、着脱部１１を介して着脱可能に構成すれば、用途や好み等に応じて、異なる各種形態のネームプレート本体部２…を任意に選択して使用することができる。
【００１８】
（７）  好適な態様により、発光部３に、電源をＯＮ又はＯＦＦにするとともに、発光素子４を連続して発光させる連続点灯モード又は発光素子を所定の周期（ｔｉ＋ｔｎ）により点滅させる点滅モードを選択できる点灯制御部１３を設ければ、例えば、ネームプレート本体部２の表示が見えにくい暗い場所では、連続点灯モードを使用して表示自体をサポートしたり、他方、ネームプレート本体部２の表示が周辺の光で見える明るい場所であっても点滅モードを使用して注意を惹起できるなど、用途や環境に応じて使い分けることができる。
【図面の簡単な説明】
【００１９】
【図１】本考案の好適実施形態に係るネームプレートの背面図、
【図２】同ネームプレートの発光部にネームプレート本体部を装着した状態を示す一部断面側面図、
【図３】同ネームプレートの発光部とネームプレート本体部の関係を説明するための正面図、
【図４】同ネームプレートの発光部からネームプレート本体部を離脱した状態を示す一部断面側面図、
【図５】同ネームプレートの発光部の電気回路図、
【図６】同ネームプレートの発光部の動作を説明するためのタイムチャート、
【図７】本考案の変更実施形態に係るネームプレートの正面図、
【図８】本考案の他の変更実施形態に係るネームプレートに用いるネームプレート本体部の断面側面図、
【考案を実施するための形態】
【００２０】
次に、本考案に係る好適実施形態を挙げ、図面に基づき詳細に説明する。
【００２１】
まず、本実施形態に係るネームプレート１の構成について、図１〜図６を参照して説明する。
【００２２】
２はネームプレート本体部を示す。ネームプレート本体部２は、所定の厚さＬｄ（例えば、４〜６〔ｍｍ〕）を有する一枚の透明のアクリル板Ｍａ（プレート材Ｍ）を円形（例えば、φ４０〜８５〔ｍｍ〕）に形成する。このように、プレート材Ｍに、アクリル板Ｍａを用いれば、加工性，軽量性，低コスト性に優れ、しかも割れないため、ネームプレート本体部２を形成するプレート材Ｍとして最適である。なお、ネームプレート本体部２の製作は、カッティング加工であってもよいし、射出成形等の成形加工を利用してもよい。このネームプレート本体部２は、前後のプレート面２ｆ，２ｒ及び周面部２ｓを有する。また、ネームプレート本体部２は、周面部２ｓの一部をカット（Ｄカット）することにより平坦周面部２ｓｃを形成し、この平坦周面部２ｓｃの中央に、後述する発光ダイオード４ｄが収容する凹部１２を形成する。さらに、図３及び図４に示すように、前後のプレート面２ｆ，２ｒ上であって、平坦周面部２ｓｃの近傍に位置する左右二個所には、前後に貫通する係止孔部２１…を形成する。この場合、各係止孔部２１…を含むネームプレート本体部２の上端部は、被挟着部２２となり、後述する発光部３に対して着脱する着脱部１１の一部（一方側）を構成する。
【００２３】
ところで、図１及び図３（ａ）には、ネームプレート本体部２を円形に形成した場合を示したが、例えば、図３（ｂ）に示すような長方形に形成してもよいし、その他、楕円形，星形，キャラクタ形状など、ネームプレート本体部２は、様々な各種形態（形状）により実施することができる。また、ネームプレート本体部２の表面（プレート面２ｆ，２ｒ）は、図１及び図３（ｂ）に示すように、表示をしない無地のままであってもよいし、図３（ａ）に示すように、予め、印刷等により特定の表示を施してもよい。
【００２４】
一方、３は発光部を示す。発光部３は、プラスチック素材等で形成したハウジング３１を備える。このハウジング３１は、図２に示すように、前ハウジング半体部３１ｆと後ハウジング半体部３１ｒの組付により構成する。前ハウジング半体部３１ｆと後ハウジング半体部３１ｒは、凹凸係合方式又はネジ止方式等により着脱可能に構成する。後ハウジング半体部３１ｒには、さらに、電池収容部３１ｒｃ及びスイッチ操作部３１ｒｓを設ける。電池収容部３１ｒｃは筒形に形成し、内部には直列に使用する二個のボタン電池４１ａ，４１ｂを収容するとともに、先端開口部は着脱可能な円盤形のキャップ３２により閉塞する。このため、電池収容部３１ｒｃの内周面にはリング凸条部３３を形成するとともに、キャップ３２の外周面には、当該リング凸条部３３に嵌合するリング凹溝部３４を形成する。また、スイッチ操作部３１ｒｓは、後述するスライド切換スイッチ４４の操作ノブ４４ｋが露出する開口部により形成する。
【００２５】
さらに、ハウジング３１の下端部には、図４に示すように、ネームプレート本体部２の上端部に着脱する着脱部１１の一部（他方側）を構成する挟着部３５を設ける。この挟着部３５は、前ハウジング半体部３１ｆ及び後ハウジング半体部３１ｒの下端部にそれぞれ一体形成した挟着片部３６ｆ及び３６ｒを有し、各挟着片部３６ｆ及び３６ｒの内面には、各係止孔部２１…の前後の開口に係止する係止凸部３７ｆ…，３７ｒ…を突出形成する。したがって、この挟着部３５と被挟着部２２により着脱部１１を構成する。なお、後ハウジング半体部３１ｒの外面には、図４に例示するクリップ３８等の装着手段を一体形成し、或いは組付けることができる。
【００２６】
他方、ハウジング３１の内部には、回路基板４２を収容する。この回路基板４２には、図２に示すように、ＩＣチップを用いた制御回路４３，スライド切換スイッチ４４，発光ダイオード４ｄ（発光素子４），電池接続用のブラシ形の正側電極４５及び負側電極４６をそれぞれ実装し、図５に示すように結線を行う。なお、図５中、４１は、上述した二個のボタン電池４１ａ，４１ｂを直列接続した電源部を示す。回路基板４２をハウジング３１の内部に収容した際は、図２に示すように、スライド切換スイッチ４４の操作ノブ４４ｋが、スイッチ操作部３１ｒｓの開口部から外部に露出する。また、発光ダイオード４ｄは、回路基板４２の端辺４２ｓから基板面に対して平行方向に突出させる。これにより、発光ダイオード４ｄは、図１に示すように、挟着片部３６ｆと３６ｒ間に位置する。
【００２７】
さらに、スライド切換スイッチ４４は、制御回路４３及び正側電極４５（電源部４１の正極側）に接続する。スライド切換スイッチ４４は、図５に示すように、中間位置に切換えれば、電源部４１と制御回路４３を切断して電源をＯＦＦにすることができる。これに対して、スライド切換スイッチ４４を左側の第一接点４４ａに切換えれば、電源部４１を制御回路４３の第一入力ポートに接続して電源をＯＮ、かつ連続点灯モードに切換えることにより、発光ダイオード４ｄを連続して発光させることができる。この状態を図６（ａ）に示す。また、スライド切換スイッチ４４を右側の第二接点４４ｂに切換えれば、電源部４１を制御回路４３の第二入力ポートに接続して電源をＯＮ、かつ点滅モードに切換えることにより、発光ダイオード４ｄを所定の周期により点滅させることができる。この状態を図６（ｂ）に示す。同図中、ＯＦＦ期間をｔｎ（例えば、１〔秒〕），ＯＮ期間をｔｉ（例えば、０，３〔秒〕）で示す。なお、使用する発光ダイオード４ｄは、白色発光ダイオードが望ましいが、必ずしも白色であることを要せず、赤，青，黄等の有色発光ダイオードであってもよい。このように、発光素子４に、発光ダイオード４ｄを用いれば、十分な輝度を有し、しかも低消費電力であるため、小型軽量のボタン電池であっても長期間の使用が可能になるなど、発光部３を構成する発光素子４として最適である。その他、電源部４１の負極側（負側電極４６）は、制御回路４３のグランドポートに接続するとともに、制御回路４３の出力ポートに、発光ダイオード４ｄを接続する。電源部４１，制御回路４３及びスライド切換スイッチ４４は、点灯制御部１３を構成する。
【００２８】
次に、本実施形態に係るネームプレート１の使用方法及び動作について、各図を参照して説明する。
【００２９】
まず、異なる各種形態のネームプレート本体部２…を用意する。これにより、利用者は、用途や好み等に応じて、ネームプレート本体部２…を任意に選択して使用することができる。この際、無地のネームプレート本体部２の場合、利用者は、水性ボールペンや顔料系インクマーカー等を利用して自由に文字やイラスト等を書込むことができる。一例として、株式会社パイロットコーポレーション製の水性ボールペン「ラテ（商品名）」が好適である。この水性ボールペンは、アクリル板Ｍａ上に自由に書込むことができる。しかし、容易に消えることはなく、消す場合には、水（及び中性洗剤）を含ませた布等により拭き取ればよい。したがって、ネームプレート本体部２は、繰り返し使用が可能である。
【００３０】
一方、発光部３は、電池収容部３１ｒｃに二個のボタン電池４１ａ，４１ｂを収容し、キャップ３２を装着する。そして、この発光部３には、選択したネームプレート本体部２を着脱部１１を介して装着する。この場合、発光部３のハウジング３１の下端部に設けた挟着部３５に、ネームプレート本体部２の被挟着部２２を装着する。装着時には、挟着部３５に設けた係止凸部３７ｆ…，３７ｒ…を、被挟着部２２に形成した係止孔部２１…の前後の開口に係止（嵌合）する。この際、挟着部３５を構成する挟着片部３６ｆ及び３６ｒが所定の弾性を有する場合には、前ハウジング半体部３１ｆと後ハウジング半体部３１ｒを組付けた状態のままで被挟着部２２と挟着部３５を着脱することができる。しかし、挟着片部３６ｆ及び３６ｒが剛性を有する場合は、前ハウジング半体部３１ｆと後ハウジング半体部３１ｒを一旦分離させて着脱する。このように、発光部３とネームプレート本体部２は容易に着脱することができる。
【００３１】
そして、発光部３にネームプレート本体部２を装着すれば、図２に示すように、発光部３に備える発光ダイオード４ｄは、ネームプレート本体部２の周面部２ｓ（２ｓｃ）に形成した凹部１２に収容される。したがって、発光ダイオード４ｄの光は、ネームプレート本体部２に対して無用な漏れが防止され、ネームプレート本体部２の内部へ効率的に照射することができる。
【００３２】
他方、ネームプレート１を使用する際は、スライド切換スイッチ４４の操作ノブ４４ｋを操作する。この場合、操作ノブ４４ｋを中間位置に切換えれば、電源がＯＦＦとなり、電源部４１と制御回路４３が切断される。したがって、明るい場所での通常使用時には、この状態で使用してもよく、この場合には、一般的なネームプレートとして使用できる。一方、ネームプレート本体部２の表示が見えにくい暗い場所、例えば、映画館や美術館における案内係等が使用する場合には、操作ノブ４４ｋを操作して、スライド切換スイッチ４４を図５に示す左側の第一接点４４ａに切換えればよい。これにより、電源部４１を制御回路４３の第一入力ポートに接続して電源をＯＮ、かつ連続点灯モードに切換えることができる。連続点灯モードでは、発光ダイオード４ｄが連続発光する。これに対して、ネームプレート本体部２の表示が見えるような明るい場所であっても、例えば、緊急時における救護者や医師等が使用する場合には、操作ノブ４４ｋを操作して、スライド切換スイッチ４４を図５に示す右側の第二接点４４ｂに切換えればよい。これにより、電源部４１を制御回路４３の第二入力ポートに接続して電源をＯＮ、かつ点滅モードに切換えることができる。点滅モードでは、発光ダイオード４ｄが所定の周期で間欠的に発光し、より目立ちやすくなる。
【００３３】
このように、発光部３に、電源をＯＮ又はＯＦＦにするとともに、発光素子４を連続して発光させる連続点灯モード又は発光素子を所定の周期により点滅させる点滅モードを選択できる点灯制御部１３を設ければ、ネームプレート本体部２の表示が見えにくい暗い場所では、連続点灯モードを使用して表示自体をサポートしたり、他方、ネームプレート本体部２の表示が周辺の光で見える明るい場所であっても点滅モードを使用して注意を惹起できるなど、用途や環境に応じて使い分けることができる利点がある。
【００３４】
よって、このような本実施形態に係るネームプレート１によれば、ネームプレート本体部２の前後のプレート面２ｆ，２ｒ以外の周面部２ｓからプレート面２ｆ…に対して平行方向に光を照射可能な発光素子４を用いた発光部３を備えるため、ネームプレート１の全体を薄くすることができ、腕や物等が当たって落下したり、プレート面２ｆが前傾して見にくくなるなどの不具合を回避できる。また、所定の厚さＬｄを有する一枚の透明のアクリル板Ｍａにより形成した所定の形状を有するネームプレート本体部２の周面部２ｓからプレート面２ｆ…に対して平行方向に光を照射するため、表示部分を単純に明るくする機能に留まらず、例えば、表示が浮上がるような立体感を醸出したり直接光に加えて間接光を利用できるなど、面白さ，興味性及び多様性を高めることができる。
【００３５】
次に、本考案の変更実施形態に係るネームプレート１について、図７及び図８を参照して説明する。
【００３６】
図７は、ネームプレート本体部２に刳貫部６１を形成し、この刳貫部６１の中、即ち、ネームプレート本体部２の中に発光部３を組込んだ形態を示す。また、図７は、二個の発光ダイオード４ｄ…を使用した場合を示している。この場合、発光部３の基本的な構成（回路構成）及びネームプレート本体部２の基本的な構成は、上述した図１〜図６に示した実施形態と同じである。このため、図７において、図１〜図６と同一部分には同一符号を付してその構成を明確にした。
【００３７】
他方、図８は、ネームプレート本体部２の裏面２ｒ及び周面部２ｓに、光を乱反射する乱反射部材７１を付加したものであり、乱反射部材７１としては、シート部材の貼着或いはコーティング剤の塗布等により実施できる。これにより、ネームプレート本体部２をより明るくすることができる。なお、この場合も、発光部３の基本的な構成（回路構成）及びネームプレート本体部２の基本的な構成は、上述した図１〜図６に示した実施形態と同じである。このため、図８において、図１〜図６と同一部分には同一符号を付してその構成を明確にした。
【００３８】
以上、好適実施形態（変更実施形態）について詳細に説明したが、本考案は、このような実施形態に限定されるものではなく、細部の構成，形状，素材，数量，数値等において、本考案の要旨を逸脱しない範囲で、任意に変更，追加，削除することができる。
【００３９】
例えば、ネームプレート本体部２として、透明のプレート材Ｍを用いた場合を挙げたが、乳白色等の半透明のプレート材Ｍを用いてもよい。また、プレート材Ｍとして、アクリル板Ｍａを用いた場合を例示したが、他の素材の使用を排除するものではない。なお、本考案に係るネームプレート１は、衣服の胸部や首に吊り下げる、いわば人に装着するネームプレートをはじめ、テーブルの上に置いて使用するネームプレートなど、各種用途のネームプレートに利用することができる。
【産業上の利用可能性】
【００４０】
本考案に係るネームプレートは、少なくとも一部に光透過部を有するネームプレート本体部と光透過部に光を照射する発光部とを備える各種のネームプレートに利用できる。
【符号の説明】
【００４１】
１：ネームプレート，２：ネームプレート本体部，２ｆ：プレート面，２ｒ：プレート面，２ｓ：周面部，３：発光部，４：発光素子，４ｄ：発光ダイオード，１１：着脱部，１２：凹部，１３：点灯制御部，（ｔｉ＋ｔｎ）：所定の周期，Ｌｄ：厚さ，Ｍ：プレート材，Ｍａ：アクリル板
【図１】
0003164415.tif 000003
【図２】
0003164415.tif 000004
【図３】
0003164415.tif 000005
【図４】
0003164415.tif 000006
【図５】
0003164415.tif 000007
【図６】
0003164415.tif 000008
【図７】
0003164415.tif 000009
【図８】
0003164415.tif 000010